(57)【特許請求の範囲】
【請求項１】
無停電電源装置からの電源供給開始を示す情報を検出する検出手段と、
被検体を識別する識別情報及び検査内容を含む複数の検査と当該検査の緊急度とが付された検査リストと、前記検査の処理ごとに要する処理時間を算出する処理時間算出テーブルとを記憶する検査リスト記憶手段と、
前記検出手段で電源供給開始を示す情報を検出した際に、前記緊急度に基づいて、前記処理時間算出テーブルを参照し、前記検査の処理が実施可能か否かを判定する制御部と、
を備え、
前記検出手段は、
前記無停電電源装置から供給される電源の電源供給可能時間に関連する情報を取得し、
前記制御部は、
前記電源供給可能時間に関連する情報を取得して、前記緊急度の高い順に、前記電源が供給されている間に処理を完了することができる未処理の処理を実行する
医用画像診断装置。
【請求項２】
前記制御部は、
前記検査内容の登録時又は当該検査内容を構成する処理が実施されたとき、前記検査リストに付された緊急度の変更を受け付ける
請求項１に記載の医用画像診断装置。
【請求項３】
前記制御部は、
前記検査内容を、ユーザの介入を要する処理又はユーザの介入を要さない処理に振り分けて、前記被検体の検査の処理を実施させる
請求項１または２に記載の医用画像診断装置。
【請求項４】
前記制御部は、
前記検出手段で電源供給開始を示す情報を検出した際に、前記ユーザの介入を要しない処理を実施中の場合には、前記電源供給可能時間に関連する情報を取得して、当該実施中の処理が実施可能か否かを判定する
請求項３に記載の医用画像診断装置。
【請求項５】
前記ユーザの介入を要する処理は、スキャンと画像処理の処理を含み、
前記ユーザの介入を要さない処理は、画像再構成と画像転送の処理を含む
請求項３又は４に記載の医用画像診断装置。
【請求項６】
前記検査の処理には、スキャン、画像再構成、画像処理及び画像転送を含み、この処理の順に従って各処理を実施する
請求項１から５のいずれか１項に記載の医用画像診断装置。
【発明の詳細な説明】
【技術分野】
【０００１】
本発明の実施の形態は、医用画像診断装置に関する。
【背景技術】
【０００２】
電気機器や情報処理装置に電源を供給する装置として、ＵＰＳ（Uninterruptible Power Supply）と呼ばれる無停電電源装置が知られている。ＵＰＳは、自装置内に電池や発電機を内蔵し、例えば、停電が発生した場合であっても電気機器や情報処理装置に電力を一定時間供給することができる電源装置である。ＵＰＳは、電力を一定時間供給することができるので、電気機器や情報処理装置等における作業や処理が即座に中断されることを防いでいる（例えば、特許文献１参照）。
【０００３】
医用の分野においては、停電等により検査の途中で作業を中断したり、医療機器の処理が中断されて診断画像を生成することができなくなることは、被験者や患者の状態によっては処置に支障をきたすことが考えられる。
【先行技術文献】
【特許文献】
【０００４】
【特許文献１】特開２０００−１９４５７２号公報
【発明の概要】
【発明が解決しようとする課題】
【０００５】
ところで、ＵＰＳを医療用検査機器や画像診断装置に適用すれば、一定時間はこれらの医療機器を使用することができる。しかしながら、ＵＰＳによる電源供給では、医療機器を長時間使用することができず、検査の中断や読影の停滞を回避することができなかった。すなわち、緊急を要する検査や診断画像を生成する画像処理などが行われている場合にＵＰＳによる電源供給が開始されると、そのとき実行されている処理をその処理の途中で終了する終了処理がなされてしまい、検査内容の処理や画像処理などの処理を適切に終了させることができなかった。
【課題を解決するための手段】
【０００６】
本実施の形態に係る医用画像診断装置は、無停電電源装置からの電源供給開始を示す情報を検出する検出手段と、被検体を識別する識別情報及び検査内容を含む複数の検査と当該検査の緊急度とが付された検査リストと、前記検査の処理ごとに要する処理時間を算出する処理時間算出テーブルとを記憶する検査リスト記憶手段と、前記検出手段で電源供給開始を示す情報を検出した際に、前記緊急度に基づいて、前記処理時間算出テーブルを参照し、前記検査の処理が実施可能か否かを判定する制御部と、を備え、前記検出手段は、前記無停電電源装置から供給される電源の電源供給可能時間に関連する情報を取得し、前記制御部は、前記電源供給可能時間に関連する情報を取得して、前記緊急度の高い順に、前記電源が供給されている間に処理を完了することができる未処理の処理を実行する。
【図面の簡単な説明】
【０００７】
【図１】本実施の形態に係る医用画像診断システムの概略の構成の一例を示した概略構成図。
【図２】本実施の形態に係る医用画像診断システムのモダリティの機能を示す機能ブロック図。
【図３】本実施の形態に係る記憶部に格納されているワークフローリストの一例を示した図。
【図４】本実施の形態に係る処理管理テーブルの１つであるスキャンの処理時間を算出するためのスキャン処理時間テーブルを示した図。
【図５】本実施の形態に係る処理管理テーブルの１つである画像再構成の処理時間を算出するための再構成処理時間テーブルを示した図。
【図６】本実施の形態に係る処理管理テーブルの１つである画像処理の処理時間を算出するための画像処理処理時間テーブルを示した図。
【図７】本実施の形態に係る処理管理テーブルの１つである画像データを転送先に画像転送する際の処理時間を算出するための画像転送処理時間テーブルを示した図。
【図８】非常時における医用画像診断システムのモダリティの処理を、緊急度に基づいて選択する非常電源検査停止処理を示すフローチャート。
【図９】ワークフロー管理部が予約装置から検査予約を受け付けて、記憶部のワークフローリストに検査予約を登録する動作を示すフローチャート。
【図１０】本実施の形態に係るワークフロー管理部がワークフローリストに基づいて実施するバッテリ監視処理の動作を示すフローチャート。
【図１１】本実施の形態におけるバッテリ監視処理の結合子Ａの続きを示したフローチャート。
【図１２】本実施の形態におけるバッテリ監視処理の結合子Ｄの続きを示したフローチャート。
【図１３】本実施の形態に係るワークフロー管理部が出力デバイスにバッテリを使用中である旨を提示させた場合の一例を示した表示例。
【図１４】本実施の形態に係るワークフロー管理部が出力デバイスに患者の画像再構成と患者の画像転送までで処理を終了する旨を提示させた場合の一例を示した表示例。
【図１５】ワークフローリストの進行状況の続きを示すワークフローリストを示した図。
【図１６】本実施の形態に係るワークフロー管理部が出力デバイスに患者の処理（スキャン）を実施するように提示させた場合の一例を示した表示例。
【図１７】本実施の形態に係るワークフロー管理部が出力デバイスに患者についての処理（画像処理）を実施するように提示させた場合の一例を示した表示例。
【図１８】患者についての処理である画像処理が終了し、ワークフローリストの進行状況の続きを示すワークフローリストを示した図。
【図１９】本実施の形態に係るワークフロー管理部が出力デバイスに患者の画像転送を実施するように提示させた場合の一例を示した表示例。
【発明を実施するための形態】
【０００８】
以下、本実施の形態に係る医用画像診断システム９００について、添付図面を参照して説明する。
【０００９】
図１は、本実施の形態に係る医用画像診断システム９００の概略の構成の一例を示した概略構成図である。
【００１０】
図１に示すように、医用画像診断システム９００は、モダリティ１００、画像サーバ２００、ビューア３００、ワークステーション４００、読影装置５００、予約装置６００、ＵＰＳ７００、ネットワーク８００等を備えて構成されている。
【００１１】
モダリティ１００は、被検体を撮影するための装置（撮影装置）を分類するときに使用される医用システム名である。例えば、モダリティ１００として、Ｘ線ＣＴ（Computed Tomography）装置、ＭＲＩ（Magnetic Resonance Imaging）装置（磁気共鳴診断装置）、超音波診断装置、核医学診断装置などがある。なお、Ｘ線ＣＴ装置は、放射線などを利用して物体を走査しコンピュータを用いて処理する撮影装置である。ＭＲＩ装置は、磁場と電波を用いて被検体の体内などの画像を撮影する装置である。超音波診断装置は、超音波を被検体に当てて、その反響を映像化する画像診断装置である。核医学診断装置は、被検体に投入された特定の病巣に集積する試薬を、放射性同位体（ラジオアイソトープ：radioisotope）で標識し、その試薬から放射されるγ線をシンチレーションカメラなどの検出器により検出して病巣を含む人体の断層像を抽出する画像診断装置である。本実施の形態では、いずれの装置でもモダリティ１００として適用することができる。
【００１２】
画像サーバ２００は、医療用画像管理システム（ＰＡＣＳ：Picture Archiving and Communication System）を構成する画像管理サーバであり、モダリティ１００によって被検体を撮影することにより得られた画像データを、保管、閲覧、管理するサーバである。
【００１３】
ビューア３００は、担当医が携帯する検査レポート表示端末であり、例えば、画像サーバ２００に格納されている画像データを受信し、その画像データを表示する。
【００１４】
ワークステーション４００は、モダリティ１００によって被検体を撮影することにより得られた画像データや画像サーバ２００に格納されている画像データに対して、コンピュータ処理を施すことによって３次元表示の映像化を図ったり、定量解析を行う装置である。
【００１５】
読影装置５００は、モダリティ１００によって被検体を撮影することにより得られた画像データや画像サーバ２００に格納されている画像データに対して、読影医が読影して所見を作成したり、作成された所見に対して承認を行う装置である。
【００１６】
予約装置６００は、モダリティ１００を用いて被検体（患者）を撮影するための検査予約を入力したり、検査予約の変更を入力する装置である。予約装置６００では、被検体を検査する検査内容（処理内容）と緊急度（優先度、重要度）を入力することができる。なお、検査内容や緊急度は、担当医が検査予約を入力時に入力するだけでなく、被検体の状態や検査時に得られた画像データの状態に応じて、検査技師や診断医が緊急度を適宜変更することができる。また、この検査内容や緊急度は、後述するモダリティ１００が有する記憶部１１のワークフローリスト１１０に、登録されるようになっている。
【００１７】
ＵＰＳ７００は、医用無停電電源装置であり、モダリティ１００に供給されている電源が遮断されたとき、ＵＰＳ７００の内部に蓄積していた電力を、モダリティ１００に供給する装置である。すなわち、ＵＰＳ７００は、非常用電源として電力を有しており、商業用電源が停電したとき又は遮断されたときなどの非常時に、モダリティ１００に電力を供給するようになっている。
【００１８】
ネットワーク８００は、医用画像診断システム９００に接続されている各装置を、相互に接続するためのネットワークである。
【００１９】
図２は、本実施の形態に係る医用画像診断システム９００のモダリティ１００の機能を示す機能ブロック図である。
【００２０】
図２に示すように、モダリティ１００は、ＵＰＳ通信部（検出手段）１０、記憶部（検査リスト記憶手段）１１、ワークフロー管理部（制御部）１２、スキャナ１３、スキャン制御部１４、入力デバイス１５、出力デバイス１６、生データ管理部１７、生データデータベース１８、画像再構成部１９、画像データ管理部２０、画像データデータベース２１、画像処理部２２、画像転送部２３、バス２４を備えて構成されている。
【００２１】
ＵＰＳ通信部１０は、ＵＰＳ７００（図１）と通信を行うためのインターフェース部である。このＵＰＳ通信部１０は、電源供給可能時間に関連する情報をＵＰＳ７００から取得するようになっている。なお、この電源供給可能時間に関連する情報とは、ＵＰＳ７００から供給される電源の供給時間を求めるために必要な情報であればよく、例えば、バッテリの残量、電源供給可能時間などが該当する。本実施の形態では、ＵＰＳ通信部１０は、ＵＰＳ７００から電源の供給を開始した旨の通知（電源供給開始を示す情報）と、ＵＰＳ７００から電源の供給を受けることができる電源供給可能時間とを取得するようになっている。また、ＵＰＳ通信部１０は、これらの通知を取得すると、後述するワークフロー管理部１２に、取得した内容（情報）を通知する。
【００２２】
記憶部１１は、記憶領域として使用可能なＲＡＭ（Random Access Memory）やＨＤＤ（Hard Disk Drive）などにより構成される。記憶部１１は、ワークフローリスト１１０と処理管理テーブル１１１とを少なくとも記憶する。ワークフローリスト１１０は、検査に対応付けられた検査内容（処理内容）とその検査を速やかに行う緊急度とが付されている。また、処理管理テーブル１１１は、各処理を処理単位ごとに要する処理時間を算出するための処理時間テーブルである。処理管理テーブル１１１は、４つの処理時間テーブルを含んでいる。これらについては後述する。
【００２３】
ワークフロー管理部１２は、ＵＰＳ通信部１０によってＵＰＳ７００（図１）から電源の供給を開始した旨の通知を取得したとき、記憶部１１に記憶されているワークフローリスト１１０と処理管理テーブル１１１とに基づいて、処理すべき未処理の処理を処理単位で選択する。ワークフロー管理部１２は、ＣＰＵ（Central Processing Unit）、ＲＡＭ、ＲＯＭ（Read Only Memory）などにより構成されており、各種プログラムが格納されているＲＯＭから所定のプログラムをＲＡＭへロードし、そのプログラムを展開することによりモダリティとしてのスキャン機能や画像処理などを制御する。
【００２４】
なお、本実施の形態では、ワークフロー管理部１２は、ＣＰＵ、ＲＡＭ、ＲＯＭを内蔵する構成で説明したが、本実施の形態ではこれに限らず、ワークフロー管理部１２とは別にプログラム用のＲＯＭや作業メモリ用のＲＡＭを備えるようにしてもよい。
【００２５】
スキャナ１３は、被検体を撮影する撮影装置である。使用するモダリティ１００の分類に応じて、任意の分類の撮影機能を備えるようになっている。
【００２６】
スキャン制御部１４は、ワークフロー管理部１２においてスキャン制御用のプログラムが実行され、そのプログラムに対応して、スキャナ１３を制御する。例えば、検査対象である被検者のスキャンプロトコルとして、集団検診プロトコル、造影プロトコル、大人用プロトコル、小児用プロトコルなどが設定可能となっており、スキャン制御部１４では、ワークフローリスト１１０に個別に登録されているスキャンプロトコル（撮影条件や撮影パラメータ）に従って、スキャナ１３を制御してスキャンを実行する。
【００２７】
入力デバイス１５は、モダリティ１００に指示や設定を入力するための装置であり、キーボードやマウスなどにより構成される。入力デバイス１５は、記憶部１１のワークフローリスト１１０の緊急度を変更したり、スキャン制御部１４の撮影条件や撮影パラメータの設定、変更を行うことができるようになっている。
【００２８】
出力デバイス１６は、被検体をスキャナ１３で撮影することにより得られた画像データを表示したり、処理の進行状況などを提示する表示装置である。出力デバイス１６は、液晶ディスプレイやモニタなどによって構成される。
【００２９】
生データ管理部１７は、スキャナ１３で撮影することによって得られた画像データ（生データ）を、生データデータベース１８に格納したり、又は生データデータベース１８に格納されている画像データ（生データ）の読み出しを行うデータベース管理部である。
【００３０】
画像再構成部１９は、スキャナ１３で撮影することにより得られた生データに対して、例えば、逆投影法や逆フーリエ変換等の再構成手法を適用して、視認可能な２次元や３次元のデータを再構成する。具体的には、ピッチの粗さを調整して画像データの間隔が薄くなるように設定したり、フィルタを施したりして画像データを再構成する。また、画像再構成部１９は、スキャンする部位やスキャンの種類によって個別に設定するパラメータを備え、その個別に設定されたパラメータに従って、画像データを生成する。
【００３１】
画像データ管理部２０は、画像再構成部１９で再構成された画像データや生データデータベース１８に格納されている画像データをバス２４を介して取得し、画像データデータベース２１に格納したり、又は画像データデータベース２１に格納されている画像データの読み出しを行うデータベース管理部である。
【００３２】
画像処理部２２は、画像データデータベース２１に格納されている再構成された画像データを、画像データ管理部２０を介して取得して、例えば、３次元の画像データから大腸解析用のボリュームデータを生成して臓器の一部を取り出したり、腸管を切り開いたような３次元画像の処理を行うことができる。また、骨の影像を削除する骨抜き機能により血管を抽出する血管抽出機能などの処理を行うこともできる。他にも血液を体内に循環させるための心臓のポンプ機能を解析する心機能解析などもある。画像処理部２２は、画像データに所定の画像処理を施した後、画像データ管理部２０を介して、その画像データを再び画像データデータベース２１に格納するようになっている。
【００３３】
画像転送部２３は、画像データデータベース２１に格納されている画像データを、画像データ管理部２０及びネットワーク８００（図１）を介して、ビューア３００（図１）、ワークステーション４００（図１）又は読影装置５００（図１）に転送する機能を有している。
【００３４】
図３は、本実施の形態に係る記憶部１１に格納されているワークフローリスト１１０の一例を示した図である。
【００３５】
図３に示すように、ワークフローリスト１１０は、「患者」、「スキャン」、「画像再構成」、「画像処理」、「画像転送」、「緊急度」の欄を有している。「患者」の欄には、患者Ａから患者Ｆまでの６名の患者が記載されている。
【００３６】
「患者Ａ」は、すべての処理内容が終了しているため、「済」が登録されている。「患者Ｂ」は、「スキャン」と「画像再構成」の処理が終了し、「済」が登録されている。また、「患者Ｂ」は「画像処理」が不要であり、「画像転送」が相手Ｘ（例えば、ワークステーション４００）に対して残り１００枚の転送が実施中である旨が登録されている。なお、「患者Ｂ」の検査に対する「緊急度」は、緊急でないため何も登録されていない。
【００３７】
「患者Ｃ」は、「スキャン」と「画像再構成」の処理が終了しているので、「患者Ｂ」と同様に、「済」が登録されている。また、「患者Ｃ」は、「画像処理」において３次元のデータを作成する「３Ｄ」の処理が未処理である旨と、「画像転送」が相手Ｙ（例えば、読影装置５００）に対して５００枚の画像データの転送が未処理である旨が登録されている。また、「患者Ｃ」の検査に対する「緊急度」には、緊急度（優先度又は重要度）が２番目に高い「２」が登録されている。
【００３８】
「患者Ｄ」は、「スキャン」の処理が終了しているので、「済」が登録されている。また、「患者Ｄ」は、「画像再構成」において「再構成種３」（例えば、個別部位にパラメータを設定した場合の処理）が実施中であり、残り１００枚である旨が登録されている。また、「患者Ｄ」は、「画像処理」の処理が不要であり、「画像転送」が相手Ｘ（例えば、ワークステーション４００）に対して８００枚の画像データの転送が未処理である旨が登録されている。また、「患者Ｄ」の検査に対する「緊急度」は、優先度が３番目に高い「３」が登録されている。
【００３９】
「患者Ｅ」は、「スキャン」のプロトコル１（例えば、集団検診プロトコル）という処理が未処理であり、「画像再構成」の処理では、画像データに対して「再構成種２」（例えば、フィルタの処理）の５０００枚の処理が未処理である旨が登録されている。また、「患者Ｅ」は、「画像処理」の臨床アプリＢ（例えば、大腸解析）が未処理であり、「画像転送」も相手Ｘ（例えば、ワークステーション４００）に対して１０００枚の画像データの転送が未処理である旨が登録されている。また、「患者Ｅ」の検査に対する「緊急度」は、緊急でないため何も登録されていない。
【００４０】
「患者Ｆ」は、「スキャン」のプロトコル２（例えば、造影プロトコル）という処理が未処理であり、「画像再構成」の処理では、画像データに対して「再構成種２」の７０００枚の処理が未処理である旨が登録されている。また、「患者Ｆ」は、「画像処理」の処理が不要であり、「画像転送」が相手Ｙ（例えば、読影装置５００）に対して５００枚の画像データの転送が未処理である旨が登録されている。また、「患者Ｆ」の検査に対する「緊急度」は、緊急度が１番目に高い「１」が登録されている。
【００４１】
なお、ワークフローリスト１１０では、予約装置６００で検査予約を受け付けて、検査を実施する患者の順に上から下に並んでいる。また、モダリティ１００は、患者ごとに、「スキャン」、「画像再構成」、「画像処理」、「画像転送」の順番に処理を行う。また、「スキャン」と「画像処理」は、ユーザの介入（検査技師や読影医などのオペレータによる操作）が必要である。一方、「画像再構成」と「画像転送」は、ユーザの介入が不要であり、自動的に処理することができる。また、上記４つの処理内容のうち、任意の処理が他の患者の処理と重複しなければ、各処理は互いに並列的に処理することができるものとする。また、本実施の形態では、「スキャン」、「画像再構成」、「画像処理」及び「画像転送」を、それぞれ処理の単位とする。
【００４２】
図４は、本実施の形態に係る処理管理テーブル１１１の１つであるスキャンの処理時間を算出するためのスキャン処理時間テーブル１２０を示した図である。
【００４３】
図４に示すように、スキャン処理時間テーブル１２０には、「プロトコル」と「所要時間（分）」の欄を有している。「プロトコル１」の欄は、その処理（例えば、集団検診プロトコルのスキャン）に１０分間要することを示しており、「プロトコル２」の欄は、その処理（例えば、造影プロトコルのスキャン）に２０分間要することを示しており、「プロトコル３」の欄は、その処理（例えば、大人用プロトコルのスキャン）に１５分間要することを示しており、「プロトコル４」の欄は、その処理（例えば、小児用プロトコルのスキャン）に５分間要することを示している。
【００４４】
図５は、本実施の形態に係る処理管理テーブル１１１の１つである画像再構成の処理時間を算出するための再構成処理時間テーブル１２１を示した図である。
【００４５】
図５に示すように、再構成処理時間テーブル１２１には、「再構成種」と「所要時間（分／１０００枚）」の欄を有している。「再構成種１」の欄は、その再構成の処理（例えば、ピッチの間隔を薄くした場合の処理）を１０００枚分処理するために３分間要することを示しており、「再構成種２」の欄は、その再構成の処理（例えば、フィルタの処理）を１０００枚分処理するために１０分間要することを示しており、「再構成種３」の欄は、その再構成の処理（例えば、個別部位にパラメータを設定した場合の処理）を１０００枚分処理するために５分間要することを示している。
【００４６】
図６は、本実施の形態に係る処理管理テーブル１１１の１つである画像処理の処理時間を算出するための画像処理処理時間テーブル１２２を示した図である。
【００４７】
図６に示すように、画像処理処理時間テーブル１２２には、「画像処理種」と「所要時間（分／１０００枚）」の欄を有している。画像処理の「３Ｄ（three dimensions）」の欄は、その処理（例えば、大腸解析の３次元画像処理化）に１０分間要することを示しており、画像処理の「臨床アプリＡ」の欄は、その処理（例えば、血管抽出機能）に２０分間要することを示しており、「臨床アプリＢ」の欄は、その処理（例えば、心機能解析）に３０分間要することを示している。
【００４８】
図７は、本実施の形態に係る処理管理テーブル１１１の１つである画像データを転送先に画像転送する際の処理時間を算出するための画像転送処理時間テーブル１２３を示した図である。
【００４９】
図７に示すように、画像転送処理時間テーブル１２３には、転送先である「相手」と「所要時間（分／１００枚）」の欄を有している。転送先である「相手Ｘ」の欄は、その相手（例えば、ワークステーション４００）に１００枚分を転送処理するために１分間要することを示しており、「相手Ｙ」の欄は、その相手（例えば、読影装置５００）に１００枚分を転送処理するために５分間要することを示しており、「相手Ｚ」の欄は、その相手（例えば、画像サーバ２００）に１００枚分を転送処理するために３分間要することを示している。
【００５０】
（非常電源検査停止処理）
次に、本実施の形態に係る医用画像診断システム９００における非常電源検査停止処理の動作について説明する。
【００５１】
図８は、非常時における医用画像診断システム９００のモダリティ１００の処理を、緊急度に基づいて選択する非常電源検査停止処理を示すフローチャートである。図８において、Ｓに数字を付した符号は、フローチャートの各ステップを示している。
【００５２】
まず、ステップＳ００１では、担当医が予約装置６００を用いて被検体（患者）の検査を予約する。複数の担当医がそれぞれ受持つ患者の検査を予約したり、一人の担当医が複数の患者の検査を予約することがあるため、モダリティ１００は、これらの検査の予約（これを検査予約という。）の入力を受け付ける。なお、この検査予約の入力に関する処理を初期設定処理とする。
【００５３】
ステップＳ００３では、モダリティ１００のワークフロー管理部１２は、ＵＰＳ通信部１０においてＵＰＳ７００（図１）から電源の供給を開始した旨の通知を受けたか否かを判定する。ワークフロー管理部１２は、ＵＰＳ通信部１０においてＵＰＳ７００から電源の供給を開始した旨の通知を受けていない場合には（ステップＳ００３：Ｎｏ）、ステップＳ００５に移行し、一方、ＵＰＳ通信部１０においてＵＰＳ７００から電源の供給を開始した旨の通知を受けた場合には（ステップＳ００３：Ｙｅｓ）、ステップＳ００９に移行する。
【００５４】
ステップＳ００５では、ワークフロー管理部１２は、記憶部１１に格納されているワークフローリスト１１０（図３）を読み出し、ワークフローリスト１１０に登録されている検査予約の順番に従い、患者Ａから患者Ｆまで順に検査を実施する。
【００５５】
ステップＳ００７では、ワークフロー管理部１２は、検査内容を構成する処理が終了する度に、ワークフローリスト１１０に登録されている検査が全て終了したか否かを判定しており、全ての処理が終了していない場合には（ステップＳ００７：Ｎｏ）、ステップＳ００３に戻る。ワークフロー管理部１２は、ＵＰＳ通信部１０においてＵＰＳ７００から電源の供給を開始したか否かを判定しながら（ステップＳ００３）、全ての処理が終了した場合には（ステップＳ００７：Ｙｅｓ）、処理を終了する。
【００５６】
一方、ＵＰＳ通信部１０においてＵＰＳ７００から電源の供給が開始された旨の通知を受けた場合には（ステップＳ００３：Ｙｅｓ）、ワークフロー管理部１２は、バッテリ監視処理を実行する（ステップＳ００９）。
【００５７】
ステップＳ００９では、ワークフロー管理部１２は、ＵＰＳ通信部１０を介してＵＰＳ７００から電源供給可能時間を取得して、緊急度の高い順に、その電源供給可能時間内に処理を完了することができる未処理の処理を実行する。
【００５８】
（初期設定処理）
次に、本実施の形態に係るワークフロー管理部１２の初期設定処理について説明する。
【００５９】
図９は、ワークフロー管理部１２が予約装置６００から検査予約を受け付けて、記憶部１１のワークフローリスト１１０に検査予約を登録する動作を示すフローチャートである。図９において、Ｓに数字を付した符号は、フローチャートの各ステップを示している。
【００６０】
ステップＳ１０１では、ワークフロー管理部１２は、予約装置６００（図１）から被検体（患者）の検査予約の入力を受け付ける。なお、ワークフロー管理部１２は、新規の予約に限定されるものではなく、緊急度の変更や検査内容の変更なども受け付ける。
【００６１】
ステップＳ１０３では、ワークフロー管理部１２は、記憶部１１のワークフローリスト１１０に予約装置６００から受け付けた検査予約や検査内容の変更を登録する。
【００６２】
（バッテリ監視処理）
次に、ワークフロー管理部１２がワークフローリスト１１０に基づいて実施するバッテリ監視処理について説明する。
【００６３】
図１０から図１２は、本実施の形態に係るワークフロー管理部１２がワークフローリスト１１０に基づいて実施するバッテリ監視処理の動作を示すフローチャートである。図１０から図１２において、Ｓに数字を付した符号は、フローチャートの各ステップを示している。
【００６４】
ステップＳ２０１では、ワークフロー管理部１２は、ＲＯＭからバッテリ監視プログラムをＲＡＭへロードするとともに、記憶部１１からワークフローリスト１１０と処理管理テーブル１１１とを読み出す。
【００６５】
ステップＳ２０３では、ワークフロー管理部１２は、表示装置である出力デバイス１６に、モダリティ１００（図１）がＵＰＳ７００（図１）から非常用電源の電力（バッテリの電力のことである。）の供給を受けている旨を提示させる。ここで、ワークフロー管理部１２が出力デバイス１６にバッテリから電力の供給を受けている旨を提示させる一例を、図に示す。
【００６６】
図１３は、本実施の形態に係るワークフロー管理部１２が出力デバイス１６にバッテリを使用中である旨を提示させた場合の一例を示した表示例である。出力デバイス１６は、表示領域内１６１に、「バッテリ使用中です」と、ＵＰＳ７００から電力の供給を受けている旨を表示している。なお、本実施の形態では、ワークフローリスト１１０（図３）に示した処理を実行中に、ＵＰＳ７００から電力の供給を受けたものとする。
【００６７】
ステップＳ２０５では、ワークフロー管理部１２は、ワークフローリスト１１０の実行中の処理を確認し、現在実行中の処理においてユーザの介入が不要な処理があるか否かを判断する。ここで、ユーザの介入が不要な処理がある場合には、結合子Ａへ移動し、一方、ユーザの介入が不要な処理がない場合には、結合子Ｂへ移動する。
【００６８】
図１１は、本実施の形態におけるバッテリ監視処理の結合子Ａの続きを示したフローチャートである。
【００６９】
図１１に示すステップＳ２０７では、ユーザの介入が不要な処理があるため、その実行中の処理が終了するまでの所要時間を、処理管理テーブル１１１を参照して算出する。例えば、図３のワークフローリスト１１０では、患者Ｂの画像転送と、患者Ｄの画像再構成が実行中である。
【００７０】
したがって、ワークフロー管理部１２は、患者Ｂについては、図７の画像転送処理時間テーブル１２３を参照し、相手Ｘに転送する画像データが残り１００枚であるため、全て転送するために要する所要時間は１分間である、と所要時間を算出する。また、患者Ｄについては、図５の再構成処理時間テーブル１２１を参照し、再構成種３の再構成が残り１００枚であるため、全て再構成するために要する所要時間は３０秒間である、と所要時間を算出する。この場合、ワークフロー管理部１２は、患者Ｂの画像転送と患者Ｄの画像再構成の２つの処理を並列的に処理することができるため、これらの処理が終了するまでの所要時間は１分間である、と判断する。
【００７１】
ステップＳ２０９では、ワークフロー管理部１２は、ＵＰＳ通信部１０を介してＵＰＳ７００に電源供給可能時間の取得依頼を送信して、ＵＰＳ７００から電源供給可能時間を取得する。なお、ワークフロー管理部１２は、ステップＳ２０７のように所要時間を算出した場合、その都度、ＵＰＳ通信部１０を介してＵＰＳ７００に電源供給可能時間の問い合わせを行うものとする。
【００７２】
ステップＳ２１１では、ワークフロー管理部１２は、ステップＳ２０７で算出した処理が終了するまでの所要時間と、ステップＳ２０９で取得した電源供給可能時間とを比較する。
【００７３】
ステップＳ２１３では、ワークフロー管理部１２は、ＵＰＳ７００から電力の供給を受けながら、実施中の処理が終了するまで実施可能か否かを判断し、実施可能な場合には（ステップＳ２１３：Ｙｅｓ）、ステップＳ２１５へ移行し、その処理を実施することができない場合には（ステップＳ２１３：Ｎｏ）、結合子Ｃへ移行する。
【００７４】
ステップＳ２１５では、ワークフロー管理部１２は、出力デバイス１６に、ＵＰＳ７００から電源の供給を受ける電源供給時間内に実施中の処理が終了する旨を提示させる。
【００７５】
図１４は、本実施の形態に係るワークフロー管理部１２が出力デバイス１６に患者Ｄの画像再構成と患者Ｂの画像転送までで処理を終了する旨を提示させた場合の一例を示した表示例である。図３のワークフローリスト１１０の場合、患者Ｂの画像転送に要する所要時間は１分間であり、患者Ｄの画像再構成に要する所要時間は３０秒間であるため、出力デバイス１６は、表示領域１６２に、これらの処理を実施したあとに処理を終了する旨を提示する。また、図１４では、ユーザに確認を促すための「はい」という確認ボタンを、表示領域１６２に備えている。
【００７６】
ステップＳ２１７では、ワークフロー管理部１２は、ワークフローリスト１１０において、実施中であった処理以外の処理の実施させないように、他の処理の実施を抑止する。
【００７７】
ステップＳ２１９では、ステップＳ２１３で実施可能と判定され、実施中であったユーザの介入が不要な処理が完了したか否かを判定する。そして、ワークフロー管理部１２は、実施中の処理が終了するまで待ち受ける。
【００７８】
ステップＳ２２１では、ステップＳ２１９で処理が完了した後、又は図１０の結合子Ｂ以降の処理として、ワークフロー管理部１２は、ワークフローリスト１１０を参照して、緊急度が最も高い患者の検査内容の中から最初に実施すべき処理を抽出する。
【００７９】
ステップＳ２２３では、ワークフロー管理部１２は、ステップＳ２２１で処理を抽出できたか否かを判定しており、実施すべき処理がある場合には結合子Ｄへ移動し、実施すべき処理がない場合には結合子Ｅへ移動する。
【００８０】
図１２は、本実施の形態におけるバッテリ監視処理の結合子Ｄの続きを示したフローチャートである。
【００８１】
図１２に示すステップＳ２２５では、ステップＳ２２１で抽出した処理について、その処理が終了するまでの所要時間を、処理管理テーブル１１１を参照して算出する。例えば、図３で示したワークフローリスト１１０の進行状況の続きについて説明する。
【００８２】
図１５は、ワークフローリスト１１０の進行状況の続きを示すワークフローリスト１１２を示した図である。図１５のワークフローリスト１１２は、ワークフローリスト１１０と同様の欄を有している。図３のワークフローリスト１１０と異なる点は、図３のワークフローリスト１１０では実施中であった患者Ｂの画像転送と患者Ｄの画像再構成の各処理が、図１５のワークフローリスト１１２では終了したことを示す「済」に更新されている点である。
【００８３】
ワークフロー管理部１２は、図１５のワークフローリスト１１２を参照し、緊急度が一番高いことを示す「１」が付された患者Ｆについて、未処理の処理を実行した場合の処理が終了するまでの所要時間を、処理管理テーブル１１１を参照して算出する。ワークフロー管理部１２は、処理管理テーブル１１１の１つであるスキャン処理時間テーブル１２０（図４）を参照し、患者Ｆのスキャンに要する所要時間を算出する。ワークフロー管理部１２は、患者Ｆについて、プロトコル２（例えば、造影プロトコル）のスキャンを実施する予定になっており、所要時間は２０分間である、と所要時間を算出する。
【００８４】
ステップＳ２２７では、ワークフロー管理部１２は、ＵＰＳ通信部１０を介してＵＰＳ７００（図１）から電源供給可能時間（ＵＰＳ７００の使用可能時間）を取得する。例えば、ワークフロー管理部１２は、ＵＰＳ７００から「電源供給可能時間は２５分間である。」という情報を取得したとする。
【００８５】
ステップＳ２２９では、ワークフロー管理部１２は、ステップＳ２２７で算出したスキャンに要する所要時間の２０分間と、ＵＰＳ７００から取得した電源供給時間の２５分間とを比較する。
【００８６】
ステップＳ２３１では、ワークフロー管理部１２は、電源供給可能時間は２５分間であり、スキャンに要する所要時間が２０分間であるため、患者Ｆに対して、プロトコル２のスキャンを実施可能と判断する。
【００８７】
ステップＳ２３３では、ワークフロー管理部１２は、患者Ｆについての処理がユーザの介入が必要か否かを判断し、ユーザの介入が必要な場合には（ステップＳ２３３：Ｙｅｓ）、患者Ｆについてそのユーザの介入の必要な処理を実施するように、出力デバイス１６に提示させる（ステップＳ２３５）。
【００８８】
図１６は、本実施の形態に係るワークフロー管理部１２が出力デバイス１６に患者Ｆの処理（スキャン）を実施するように提示させた場合の一例を示した表示例である。出力デバイス１６は、表示領域１６３に、「患者Ｆのスキャンを実施してください。」と提示して、検査技師等に「はい」か「いいえ」の確認させるようになっている。
【００８９】
一方、ワークフロー管理部１２は、ユーザの介入が不要な場合には（ステップＳ２３３：Ｎｏ）、その処理を出力デバイス１６に提示させる（ステップＳ２３７）。
【００９０】
ステップＳ２３９では、ワークフロー管理部１２は、出力デバイス１６に提示したユーザの介入が必要な処理（例えば、スキャン）を実施するか否かを待ち受けており、入力デバイス１５からその処理（例えば、スキャン）を実施する旨の入力を受け付けた場合には（ステップＳ２３９：Ｙｅｓ）、提示したそのユーザの介入が必要な処理（例えば、スキャン）を実施する（ステップＳ２４１）。
【００９１】
一方、患者Ｆ（被験者）が待合室に居なかったり、スキャン（処理）を受ける準備ができていない場合には、ワークフロー管理部１２は、入力デバイス１５から検査ができない旨の指示を受け付けて、患者Ｆの処理を実施することができないと判断する（ステップＳ２３９：Ｎｏ）。
【００９２】
ステップＳ２４３では、ワークフロー管理部１２は、緊急度が高い順に、次に実施すべき処理を抽出する。例えば、ワークフロー管理部１２は、図１５を参照して、患者Ｆの画像再構成を抽出したり、緊急度が２番目に高い患者Ｃから、次に実施すべき処理として画像処理を抽出する（ステップＳ２４３）。なお、患者Ｆについて処理ができない場合には、ワークフロー管理部１２は、次に緊急度の高い患者Ｃについての処理を、自動的に抽出対象とする。
【００９３】
ステップＳ２４５では、まだ処理がされていない処理があるか否かを判断し、該当する処理がある場合には（ステップＳ２４５：Ｙｅｓ）、ステップＳ２２５に移行して、同様の処理を繰り返す。一方、実施すべき処理がない場合には（ステップＳ２４５：Ｎｏ）、ステップＳ２４７に移行して、モダリティ１００で行う処理が全て終了した判断して、モダリティ１００のシャットダウン処理を行い（ステップＳ２４７）、バッテリ監視処理を終了する。
【００９４】
以下、図１５のワークフローリスト１１２の続きについて、具体的に説明する。
【００９５】
例えば、ワークフロー管理部１２は、図１５を参照し、ステップＳ２４３において患者Ｆが処理（例えば、スキャン）の準備ができないため、患者Ｃについて、次に実施すべき処理（例えば、画像処理）を抽出する（ステップＳ２４３）。ワークフロー管理部１２は、患者Ｃの画像処理について処理管理テーブル１１１の１つである画像処理処理時間テーブル１２２（図６）を参照し、「３Ｄ」（画像処理）の所要時間は１０分間である、と所要時間を算出する（ステップＳ２２５）。また、ワークフロー管理部１２は、ＵＰＳ通信部１０を介してＵＰＳ７００（図１）から電源供給可能時間が２５分間である、という情報を取得したとする（ステップＳ２２７）。
【００９６】
この場合、ワークフロー管理部１２は、患者Ｃに対して行われる画像処理（３Ｄ）の処理が終了するまでの所要時間１０分間と、ＵＰＳ７００から取得した電源供給可能時間２５分間とを比較して（ステップＳ２２９）、画像処理（３Ｄ）を実施可能と判断する（ステップＳ２３１）。画像処理はユーザの介入が必要な処理であるため（ステップＳ２３３：Ｙｅｓ）、ワークフロー管理部１２は、患者Ｃに対して行うべき画像処理（３Ｄ）を実施するように、出力デバイス１６にその旨を提示させる。
【００９７】
図１７は、本実施の形態に係るワークフロー管理部１２が出力デバイス１６に患者Ｃについての処理（画像処理）を実施するように提示させた場合の一例を示した表示例である。出力デバイス１６は、表示領域１６４に、「患者Ｃの画像処理を実施してください。」と提示して、検査技師等に「はい」か「いいえ」の確認させるようになっている。
【００９８】
ワークフロー管理部１２は、出力デバイス１６に提示させた処理を、実施するか否かを待ち受けており（ステップＳ２３９）、入力デバイス１５からその処理を実施する旨の入力を受け付けた場合には（ステップＳ２３９：Ｙｅｓ）、提示したその処理（画像処理）を実施する（ステップＳ２４１）。
【００９９】
ここで、患者Ｃの画像処理について処理を実施する旨の入力を受け付けた場合には（ステップＳ２３９：Ｙｅｓ）、ワークフロー管理部１２は、その画像処理を１０分間実施する。このため、ＵＰＳ７００から提供される残りの電源供給可能時間は、１５分間となる。
【０１００】
図１８は、患者Ｃについての処理である画像処理が終了し、ワークフローリスト１１２の進行状況の続きを示すワークフローリスト１１３を示した図である。図１８のワークフローリスト１１３は、ワークフローリスト１１０と同様の欄を有している。図１５のワークフローリスト１１２と異なる点は、図１５のワークフローリスト１１２では未実施であった患者Ｃの画像処理が、図１８のワークフローリスト１１３では終了したことを示す「済」に更新されている点である。
【０１０１】
ワークフロー管理部１２は、患者Ｃの画像処理の次に処理する予定である画像転送を、次に実施すべき処理として抽出し（ステップＳ２４３）、処理管理テーブル１１１の１つである画像転送処理時間テーブル１２３（図７）を参照して、患者Ｃの画像転送の所要時間を算出する（ステップＳ２２５）。具体的には、ワークフロー管理部１２は、相手Ｙ（例えば、読影装置５００）に転送するため、５００枚の画像データ（図１８）を転送する場合の所要時間は２５分間である、と所要時間を算出する（ステップＳ２２５）。
【０１０２】
ワークフロー管理部１２は、再び、ＵＰＳ通信部１０を介して、ＵＰＳ７００から残りの電源供給可能時間を取得して（ステップＳ２２７）、電源供給可能時間は１５分間である、という情報を取得する。
【０１０３】
この場合、ワークフロー管理部１２は、患者Ｃの画像転送に必要な所要時間２５分間と、ＵＰＳ７００から取得した電源供給可能時間の１５分間とを比較して（ステップＳ２２９）、患者Ｃについての画像転送は実施できないと判断する（ステップＳ２３１：Ｎｏ）。
【０１０４】
ワークフロー管理部１２は、患者Ｃの画像転送（処理）ができないので、次に緊急度の高い患者から次に実施すべき処理を抽出する（ステップＳ２４３）。この場合、ワークフロー管理部１２は、緊急度が３番目に高い患者Ｄの処理である画像転送の処理を次に実施すべき処理と判断し（ステップＳ２４５）、画像転送処理時間テーブル１２３（図７）を参照して所要時間を算出する（ステップＳ２２５）。ワークフロー管理部１２は、患者Ｄの画像データは相手Ｘ（例えば、ワークステーション４００）に転送することになっており、また、患者Ｄの画像転送する画像データは８００枚あるため（図１８）、ワークステーション４００に転送するために必要な所要時間は８分間と算出する。
【０１０５】
ワークフロー管理部１２は、再び、ＵＰＳ通信部１０を介して、ＵＰＳ７００から電源供給可能時間を取得して、電源供給可能時間は１５分間である、という情報を取得する（ステップＳ２２７）。ワークフロー管理部１２は、患者Ｄの画像転送を実施可能と判断し（ステップＳ２３１：Ｙｅｓ）、また、ユーザの介入が不要な処理であるため（ステップＳ２３３：Ｎｏ）、その処理（画像転送）を出力デバイス１６に提示させて（ステップＳ２３７）、患者Ｄの画像データの画像転送を実施する（ステップＳ２４１）。
【０１０６】
図１９は、本実施の形態に係るワークフロー管理部１２が出力デバイス１６に患者Ｄの画像転送を実施するように提示させた場合の一例を示した表示例である。出力デバイス１６は、表示領域１６５に、「患者Ｄの画像転送を行います。」と提示して、検査技師等に「はい」の確認させるようになっている。
【０１０７】
以上説明したように、本実施の形態に係る医用画像診断システム９００は、モダリティ１００のワークフロー管理部１２が、ＵＰＳ７００から非常用電源の電力の供給を開始した旨の通知を取得したとき、緊急度が付されたワークフローリスト１１０と処理管理テーブル１１１とに基づいて、緊急度の高い順に、処理に要する所要時間を処理単位で算出する。また、ワークフロー管理部１２は、ＵＰＳ通信部１０を介して、ＵＰＳ７００から提供される電源の電源供給可能時間を取得して、未処理の処理について処理が処理単位で実施可能か否かを判断し、実施可能な未処理の処理を選択する。
【０１０８】
これにより、本実施の形態に係るモダリティ１００は、ワークフローリスト１１０に登録された緊急度に基づいて、ＵＰＳ７００から供給される電源供給可能時間内に終了することができる処理を処理単位で選択することができるので、ＵＰＳ７００から供給される電源供給可能時間内に実施可能な処理を確実に終了させることができる。
【０１０９】
なお、本発明の実施の形態を説明したが、本実施の形態は、例として提示したものであり、発明の範囲を限定することは意図していない。本実施の形態は、その他の様々な形態で実施されることが可能であり、発明の要旨を逸脱しない範囲で、種々の省略、置き換え、変更を行うことができる。本実施の形態やその変形は、発明の範囲や要旨に含まれると同様に、特許請求の範囲に記載された発明とその均等の範囲に含まれるものである。
【符号の説明】
【０１１０】
１０  ＵＰＳ通信部（検出手段）
１１  記憶部（検査リスト記憶手段）
１２  ワークフロー管理部（制御部）
１３  スキャナ
１４  スキャン制御部
１５  入力デバイス
１６  出力デバイス
１７  生データ管理部
１８  生データデータベース
１９  画像再構成部
２０  画像データ管理部
２１  画像データデータベース
２２  画像処理部
２３  画像転送部
１００  モダリティ（医用画像診断装置）
２００  画像サーバ
３００  ビューア
４００  ワークステーション
５００  読影装置
６００  予約装置
７００  ＵＰＳ（無停電電源装置）
８００  ネットワーク
９００  医用画像診断システム
【図１】
0005886014.tif 000002
【図２】
0005886014.tif 000003
【図３】
0005886014.tif 000004
【図４】
0005886014.tif 000005
【図５】
0005886014.tif 000006
【図６】
0005886014.tif 000007
【図７】
0005886014.tif 000008
【図８】
0005886014.tif 000009
【図９】
0005886014.tif 000010
【図１０】
0005886014.tif 000011
【図１１】
0005886014.tif 000012
【図１２】
0005886014.tif 000013
【図１３】
0005886014.tif 000014
【図１４】
0005886014.tif 000015
【図１５】
0005886014.tif 000016
【図１６】
0005886014.tif 000017
【図１７】
0005886014.tif 000018
【図１８】
0005886014.tif 000019
【図１９】
0005886014.tif 000020